(57)【特許請求の範囲】
【請求項１】
レンズ鏡筒に設けられたフレア絞り装置において、
上記レンズ鏡筒の光軸方向に延出して該光軸と垂直な方向に弾性変形可能な腕部とフレア絞り開口部とを有したフレア絞り部材と、
上記光軸周りに回動及び上記光軸方向に移動する状態と、上記光軸方向にのみ移動する状態とを有し、周面に設けられた第１の摺動面と、該第１の摺動面とは径方向に段差をもって周面に設けられた第２の摺動面と、これらの摺動面との間に設けられた上記光軸に垂直な段差側面と、これら摺動面同士を連続的に繋げる傾斜面と、を有した枠部材と、
上記枠部材と上記光軸周りに相対的に回動可能で、上記フレア絞り部材を上記光軸周りに回動させぬよう、かつ、上記腕部が光軸方向に移動可能に上記フレア絞り部材の腕部を支持する溝を有し、該溝が上記段差側面と対向するとき、上記段差側面と共に上記第１の摺動面を挟み、上記腕部の端部が上記第１の摺動面を摺動可能として上記フレア絞り開口部と上記枠部材との光軸方向の相対距離を一定に保つことを可能とし、上記溝が上記第２の摺動面に位置するとき上記腕部の端部が上記第２の摺動面上を光軸方向に移動することが可能に設けられた薄板状部材と、
を有し、上記枠部材が回動し、かつ、上記光軸方向に移動する状態のときは、上記フレア絞り部材の腕部の端部が上記第１の摺動面上を摺動し、上記枠部材が上記光軸方向および回動方向に移動する状態から上記光軸方向のみに移動する状態に切り換わるときには、上記フレア絞り部材の腕部の端部が上記第１の摺動面から上記傾斜面を摺動して上記第２の摺動面に移動し、上記枠部材が光軸方向にのみ移動する状態のときは、上記フレア絞り部材の腕部の端部が上記第２の摺動面上を光軸方向に摺動可能であることを特徴とするレンズ鏡筒に設けられたフレア絞り装置。
【発明の詳細な説明】
【０００１】
【発明の属する技術分野】
本発明は、光学機器に用いられる絞り装置に関する。
【０００２】
【従来の技術】
従来、フレア絞りを有するレンズ鏡筒として特開平５−１８８２７４号公報のものが提案されている。上記レンズ鏡筒のフレア絞り装置の構成は、図８（Ａ），（Ｂ），（Ｃ）のフレア絞り動作状態の断面図に示すように、ズーミング，沈胴動作により固定枠１０１に対して進退する第３レンズ筒６０と、ズーミング，沈胴動作時に固定枠１０１，第３レンズ筒６０に対する光軸方向の距離が変化するフロートキー８０と、上記フロートキー８０に係止され、上記固定枠１０１と第３レンズ筒６０との間に介在するフレア絞り１００等で構成されている。
【０００３】
上記フレア絞り１００は、中央部にフレア絞り開口１００ｃが穿設された薄い円板部材であり、その外周部に前方に向けて形成された環状周壁部１００ｂと、上記環状周壁部１００ｂの前面の３等分位置から前方に向けて延び出した弾性を有する取付片１００ａと、この取付片１００ａの先端部の外周面に形成された係止爪１００ｄとが設けられている。
【０００４】
上記フレア絞り１００は、上記フロートキー８０の後方から、その内周壁面８０ｆに沿って前記第３レンズ筒６０と干渉しないように嵌合させ、取付片１００ａの係止爪１００ｄをフロートキー８０の長方形状の嵌合孔８０ｅに弾撥的に嵌入させ、フロートキー８０の後部に嵌合孔８０ｅの長さ分だけ光軸方向に移動できるように取り付けられる。
【０００５】
上記フレア絞り１００の沈胴・ズーミング時の動作を上記図８（Ａ），（Ｂ），（Ｃ）によって説明すると、まず、各レンズ群が沈胴状態のときのフレア絞り１００は、図８（Ａ）の状態にある。この沈胴状態ではフレア絞り１００は本体１０１のマスク前側面１０１ａに当接する状態となっている。フレア絞り１００の係止爪１００ｄは、フロートキー８０の嵌合孔８０ｅの前端寄りに位置している。
【０００６】
次に、ワイド状態まで駆動したとき、フレア絞り１００は、図８（Ｂ）の状態となる。この状態では、フロートキー８０は光軸方向に移動するが、第３レンズ筒６０は、フロートキー８０に対して相対的に光軸方向に距離Ｆ２だけ後戻りする。この動きにより第３レンズ筒６０と係合しているレンズ支持枠６１の後端面６１ａがフレア絞り１００の前端面１００ｆに当接し、フレア絞り１００を光軸後方に押し出す。
【０００７】
次に、各レンズ群をテレ状態までズーミングした場合には、図８（Ｃ）に示す状態となる。この状態では、第３レンズ筒６０は、光軸方向に所定量移動している。しかし、この第３レンズ筒６０の移動は、フレア絞り１００に物理的な影響を及ぼさないのでフロートキー８０とフレア絞り１００の相対位置関係は、上記ワイド状態から変化しない。そして、フレア絞り開口１００ｃは、第３レンズ群Ｌ3 とマスク前側面１０１ａの中間に位置し、テレ状態の有効光束ＯＰを蹴らないようになっている。
【０００８】
【発明が解決しようとする課題】
しかしながら、上述の特開平５−１８８２７４号公報に開示のレンズ鏡筒のフレア絞り装置においては、フレア絞り１００が取付片１００ａの弾性力でフロートキー８０に対し保持されている状態であるので、例えば、図８（Ｂ）のワイド状態から図８（Ｃ）のテレ状態の間では、フレア絞り１００は、係止爪１００ｄが少なくともフロートキー８０の嵌合孔８０ｅの範囲内は移動できる状態にある。フレア絞り１００自体は、軽い部材であるので移動する可能性は少ないが、本体に強いショックが作用した場合、上記移動できる範囲はずれる可能性があった。
【０００９】
本発明は、上述の不具合を解決するためになされたものであって、絞り部材とそれを支持する枠部材との相対距離を精度よく保つことができ、しかも、占有スペ−スを大きくすることなく、組み込まれるレンズ鏡筒の大型化を防止する効果がある絞り装置を提供することを目的とする。
【００１０】
【課題を解決するための手段】
本発明の請求項1記載のレンズ鏡筒に設けられたフレア絞り装置は、 上記レンズ鏡筒の光軸方向に延出して該光軸と垂直な方向に弾性変形可能な腕部とフレア絞り開口部とを有したフレア絞り部材と、 上記光軸周りに回動及び上記光軸方向に移動する状態と、上記光軸方向にのみ移動する状態とを有し、周面に設けられた第１の摺動面と、該第１の摺動面とは径方向に段差をもって周面に設けられた第２の摺動面と、これらの摺動面との間に設けられた上記光軸に垂直な段差側面と、これら摺動面同士を連続的に繋げる傾斜面と、を有した枠部材と、 上記枠部材と上記光軸周りに相対的に回動可能で、上記フレア絞り部材を上記光軸周りに回動させぬよう、かつ、上記腕部が光軸方向に移動可能に上記フレア絞り部材の腕部を支持する溝を有し、該溝が上記段差側面と対向するとき、上記段差側面と共に上記第１の摺動面を挟み、上記腕部の端部が上記第１の摺動面を摺動可能として上記フレア絞り開口部と上記枠部材との光軸方向の相対距離を一定に保つことを可能とし、上記溝が上記第２の摺動面に位置するとき上記腕部の端部が上記第２の摺動面上を光軸方向に移動することが可能に設けられた薄板状部材と、を有し、上記枠部材が回動し、かつ、上記光軸方向に移動する状態のときは、上記フレア絞り部材の腕部の端部が上記第１の摺動面上を摺動し、上記枠部材が上記光軸方向および回動方向に移動する状態から上記光軸方向のみに移動する状態に切り換わるときには、上記フレア絞り部材の腕部の端部が上記第１の摺動面から上記傾斜面を摺動して上記第２の摺動面に移動し、上記枠部材が光軸方向にのみ移動する状態のときは、上記フレア絞り部材の腕部の端部が上記第２の摺動面上を光軸方向に摺動可能である。
【００１４】
【発明の実施の形態】
以下、本発明の実施の形態を図に基づいて説明する。
図１，２は、本発明の一実施の形態である絞り装置が組み込まれたレンズ鏡筒５０の分解斜視図、図３は、可動フレア絞り装着部周りの斜視図、図４は、２，３群枠等の分解斜視図である。図５，６は、上記レンズ鏡筒１の各状態での縦断面図であって、図５は、沈胴状態を示し、図６は、上半部が撮影準備状態およびワイド状態を、下半部がテレ状態を示す。図７は、上記可動フレア絞り装着部縦断面図である。なお、図１，２の分解斜視図における各部材は、その形状を明らかにするために必ずしも組み立て状態時の回転方向姿勢では示されていない。
【００１５】
本レンズ鏡筒５０は、図１に示す沈胴位置から撮影準備位置間、すなわち、沈胴駆動領域の進退駆動を行う沈胴駆動系５０Ａと、図２に示す各レンズ群枠の繰り出し駆動を行うレンズ群駆動系５０Ｂと、レンズ群枠部５０Ｃとからなる。
【００１６】
上記沈胴駆動系５０Ａは、図１に示すように、主にカメラ本体に固定支持され、ヘリコイド駆動ギヤ７および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を直進移動する移動枠５とからなる。
【００１７】
上記沈胴駆動系５０Ａの各構造部材について詳細に説明すると、上記固定枠１は、カメラ本体５１（図５参照）に固着して支持されており、その外周部に貫通する移動枠の突起挿通用直進溝１ｄが設けられ、内周部にヘイコイド雌ネジ１ａ、および、直進溝１ｂが設けられている。さらに、先端部に設けられている駆動リング支持部１ｃには、駆動リング３が回動駆動可能に装着され、当て板６により、上記駆動リング３のスラスト位置が規制される。また、外周部に軸方向に沿う長尺ギヤ形状のヘリコイドリング駆動ギヤ７が回転可能に支持され、その歯部は、固定枠内周部に露出している。
なお、上記直進溝１ｂ、および、後述する各直進溝は、撮影光学系の光軸Ｏに平行に設けられる溝とする。
【００１８】
上記駆動リング３には、外周部に図示しないズーム駆動系に噛合して駆動されるズームギヤ３ａおよび図示しないファインダ駆動系に噛合して駆動されるファインダギヤ３ｂとが設けられ、内周部に切り欠き状の凹部３ｃが設けられている。
【００１９】
上記回転枠２には、内周部に直進溝２ａと、内周前方（被写体側）端部に内周溝２ｂが設けられ、外周部に突起２ｃが設けられている。
上記ヘリコイドリング４には、その外周部にヘリコイド雄ネジ４ａと駆動ギヤ４ｂとが設けられている。
【００２０】
上記移動枠５には、その外周部に固定枠の溝１ｄを挿通するストロボ駆動用突起５ａと、直進ガイド用突起５ｂ，５ｃ，５ｄと、上記突起５ｄで形成される周方向ガイド５ｅと、先端に突起５ｆとが設けられ、内周部に３組の複列の直進溝５ｇが設けられている。さらに、内外周を貫通し、光軸Ｏに対する斜行溝部を有する３つのカム溝５ｈが設けられている。
【００２１】
上述の各部材で構成される沈胴駆動系５０Ａにおいて、上記移動枠５にはその周方向ガイド５ｅに上記ヘリコイドリング４が嵌入し、軸方向位置が規制された状態で回動自在に保持され、さらに、内周部には後述するレンズ群駆動系５０Ｂおよび各レンズ群枠部５０Ｃが回動，進退自在に組み込まれる。その移動枠５は、回転枠２の内周部に嵌入されるが、その嵌入状態で突起５ｆが内周溝２ｂと係合するので、回転枠２に対して軸方向位置が規制された状態で回動自在に支持されることになる。
【００２２】
上記回転枠２および移動枠５は、それぞれ突起２ｃ，５ｃ，５ｂを直進溝１ｂ，１ｄに嵌入させた状態で固定枠１に直進可能状態で挿入される。そのとき、ヘリコイドリング４のヘリコイド雄ネジ４ａを固定枠１のヘリコイド雌ネジ１ａに、また、駆動ギヤ４ｂをヘリコイドリング駆動ギヤ７にそれぞれ噛合させる。
【００２３】
上記回転枠２および移動枠５の固定枠１への組み付け状態において、移動枠５と回転枠２がフィルム面側の沈胴位置にあるときに（図５参照）、ヘリコイドリング駆動ギヤ７を時計回り（被写体側から見て）Ｂ1 方向に回転させると、ヘリコイドリング４が反時計回りＣ1 方向に回動する。その回動によって移動枠５と回転枠２がＤ1 方向（被写体側方向）に一体的に撮影準備位置まで繰り出される（図６の上半部分参照）。
【００２４】
上記撮影準備位置に到達した状態では、回転枠２は、その突起２ｃが固定枠１の直進溝１ｂから外れ、駆動リングの凹部３ｃ側に嵌合する。この状態でズーム駆動系により駆動リング３をＥ0 方向に回動駆動させると、回転枠２が回動し、撮影準備位置から同方向に僅か回動してワイド位置へ到達し、さらに、同方向に回動するとテレ位置へズーム駆動される。なお、駆動リング３を上述とは逆方向のＥ1 方向に回転駆動することによって、回転枠２がズーム位置から撮影準備位置へ回動し、さらに、ヘリコイドリング駆動ギヤ７を上述とは逆方向のＢ0 方向に回転駆動することによって、回転枠２および移動枠５を沈胴位置に繰り込むことができる。
【００２５】
次に、上記レンズ群駆動系５０Ｂについて説明する。
レンズ群駆動系５０Ｂは、図２，３，４，７に示すように、主に可動フレア絞り１５を支持する枠部材であり、移動枠５内に嵌入して進退駆動され、回転枠２と共に回転するカム枠Ｍ１１と、カム枠Ｍ１１と共に回転し、２群枠２２を介して進退駆動されるカム枠Ｆ１２と、キー押さえ１４が固着され、レンズ群枠を直進ガイドするキーリング１３と、カム枠Ｍ１１に支持され、直進移動する絞り部材である可動フレア絞り１５とからなる。
【００２６】
上記レンズ群駆動系５０Ｂを構成する各部材について詳細に説明する。
上記カム枠Ｍ１１は、上記移動枠５の内周に回動かつ進退可能に嵌入する部材であり、外周部には、可動フレア絞りの先端凸部１５ｃが摺動する第２の摺動面としての外周面１１ａと、圧入して固着される軸部を持つ３つのカムフォロワ１７と、上記カムフォロワ１７の軸部に回転自在に嵌入する３つのカムフォロワ１８と、段差面としての段差側面１１ｂと、段差周面１１ｃと、所定幅の端部外周面１１ａ′と、段差周面１１ｃの周方向に隣接する周方向傾斜面１１ｄとが設けられている。また、内周部には、フィルム面側端部に設けられる内周溝１１ｅと、３つの直進溝１１ｆと、光軸Ｏに対し傾斜する斜行溝部を有する３つの２群カム溝１１ｇとが設けられている。
【００２７】
なお、上記段差周面１１ｃは、フィルム面側端部に上記外周面１１ａより一段低く形成される面であって、可動フレア絞り１５の腕部の先端凸部１５ｃが摺接する第１の摺動面である。なお、上記段差周面１１ｃの軸方向の幅は、先端凸部１５ｃが周方向に摺動できるように先端凸部１５ｃの軸方向の幅よりも僅かに大きいものとする。
【００２８】
また、上記端部外周面１１ａ′は、上記段差周面１１ｃの周方向に設けられる上記外周面１１ａと同一径の面であって、可動フレア絞り１５の先端凸部１５ｃが摺接する所定幅の第２の摺動面である。
【００２９】
上記周方向傾斜面１１ｄは、段差周面１１ｃと端部外周面１１ａ′とを連続して繋ぐ周方向の傾斜面である（図３参照）。
段差側面１１ｂは、上記外周面１１ａと段差周面１１ｃとの間の軸垂直の側面である（図３参照）。
【００３０】
上記カム枠Ｆ１２は、上記カム枠Ｍ１１の内周に進退可能に嵌合する部材であって、外周部には３つの突起１２ａが設けられ、内周部には光軸Ｏに対し傾斜する斜行溝部を有する各３つの１群カム溝１２ｂ，２群カム溝１２ｃと、１つの３群カム溝１２ｄとが設けられている。
【００３１】
上記可動フレア絞り１５は、極薄板の部材であって、中央部に設けられるフレア絞り開口部となる開口１５ａと、装着前の自由状態で光軸Ｏに平行な方向から多少内側に向けて延出する弾性変形可能な部分であって、その先端部に周方向に突状の先端凸部１５ｃを有する３つの腕部１５ｂとが設けられている。組み付け状態において、上記先端凸部１５ｃは、上記腕部１５ｂが弾性変形してカム枠Ｍ１１の外周部１１ａ、または、段差周面１１ｃに所定付勢力で当接するものとする。
【００３２】
上記キーリング１３は、各レンズ群枠を直進ガイドするための薄板状部材であって、ビス孔１３ａと、位置決め孔１３ｂと、外周に設けられる３つの複列突起１３ｄと、複列突起１３ｄの間の溝１３ｅと、２つの切り欠き１３ｃと、光軸方向に延出する直進キー１３ｆとが設けられている。
【００３３】
なお、上記溝１３ｅの幅は、上記可動フレア絞りの腕部１５ｂが挿通可能であって、先端凸部１５ｃの周方向幅よりも狭い寸法とする。また、上記溝１３ｅの底面の径は、カム枠Ｍ１１の段差周面１１ｃの径と同等、または、小さいものとする（図３，７参照）。
【００３４】
上記キー押さえ１４は、円環の一部がカットされた弾性変形可能な部材であり、外周に沿って設けられる鍔１４ａと、２つのビス用ネジ孔１４ｂと、上記各ネジ孔の側方に設けられ、位置決め孔１３ｂに嵌入可能な位置決めピン１４ｃと、爪状係止部１４ｅを持つ２つの押さえピン１４ｄとが設けられている。
【００３５】
上述の各部材で構成されるレンズ群駆動系５０Ｂにおいて、まず、カム枠Ｍ１１には、その内周の直進溝１１ｆに突起１２ａを嵌合させた状態でカム枠Ｆ１２が進退摺動自在に嵌入され、さらに、カム枠Ｍ１１およびカム枠Ｆ１２内周部には、後述する各レンズ群枠が進退自在に組み込まれる。
【００３６】
レンズ群枠等が組み込まれたカム枠Ｍ１１は、沈胴駆動系５０Ａの移動枠５の内周部に回動自在に嵌入され、カム枠Ｍのカムフォロワ１８がカム溝５ｈに摺動自在に嵌入する。さらに、カムフォロワ１８の軸部となるカムフォロワ１７は、移動枠５を挿通して、回転枠２の直進溝２ａに摺動自在に嵌入する。そして、カムフォロア１７は、さらに、回転枠２の直進溝２ａに摺動可能となった状態で嵌合している。したがって、回転枠２の回動に伴いカム枠Ｍ１１が共に回動しなが０ら、移動枠５のカム溝５ｈによって光軸方向へ進退駆動される。
【００３７】
キー押さえ１４は、径方向に広げた状態で鍔１４ａをカム枠Ｍ１１の内周溝１１ｅに嵌入される。そのキー押さえ１４にキーリング１３が位置決めピン１４ｃと位置決め孔１３ｂで位置決めされた状態で取り付けられ、ビス１６により固着状態とする。したがって、キーリング１３は、カム枠Ｍ１１に対してフィルム側端部に軸方向位置が規制された状態で回動自在に支持される。
【００３８】
なお、上述のキーリング取り付け状態では、図７に示すようにキー押さえ１４の押さえピン１４ｄがキーリング１３の切り欠き１３ｃに嵌入し、押さえピン１４ｄの係止部１４ｅが係合しており、キー押さえ１４とキーリング１３とは隙間なく保持される。
【００３９】
上記キーリング１３は、その複列の突起１３ｄが直進進退する移動枠５の複列の直進溝５ｇに摺動自在に嵌入されるので、回動することなく直進駆動される。さらに、キーリング１３の直進キー１３ｆが後述する２群レンズ枠２２の直進ガイド孔２２ｃに摺動自在に嵌入されるので、上記２群枠２２、および、２群枠に支持される１群枠２１，３群枠２３が直進ガイドされる。
【００４０】
可動フレア絞り１５は、その腕部１５ｂが上記キーリングの凹部１３ｅをフィルム面側から挿通し、先端凸部１５ｃが上記カム枠Ｍ１１の外周面１１ａ、または、段差周面１１ｃに摺接可能な状態で取り付けられる。
【００４１】
次に、上記レンズ群枠部５０Ｃについて説明する。
レンズ群枠部５０Ｃは、カム枠Ｍ１１，カム枠Ｆ１２に内蔵され、直進移動する各レンズ群保持枠で構成され、上記カム枠Ｆ１２を介して進退駆動され、１群レンズ４１を保持する１群枠２１と、上記キーリング１３を介して直進ガイドされ、上記カム枠Ｍ１１によって進退駆動される２群枠２２と、カム枠Ｆ１２を介して進退駆動される可動フォロワ２８と、可動フォロワ２８を介して進退駆動され、３群レンズ４３を保持する３群枠２３と、２群枠２２に保持されてフォーカシング駆動系（図示せず）により直進駆動され、２群レンズ４２を保持するフォーカシング枠２９（図５，６参照）とからなる。
【００４２】
上記２群枠２２には、外周部に各３つのカムフォロワ３２，３３と、その先端部に３つの突起２２ｂが設けられている。内周部には、キーリングの直進キー１３ｆが嵌入する直進ガイド孔２２ｃと、光軸Ｏ方向に沿う軸孔２２ｄ，切り欠き２２ｅと、光軸Ｏ方向に沿って固着支持されたガイド軸２７と、シャッタ４４が装着される開口２２ａが設けられている（図４参照）。
【００４３】
上記１群枠２１は、開口部２１ａに１群レンズ４１を保持しており、外周部に３つのカムフォロワ３１と、内周部に直進溝２１ｂが設けられている。
上記可動フォロワ２８は、３群枠２３の進退位置を規制する部材であり、２群枠２２のガイド軸２７の摺動自在に嵌入する軸孔２８ａと、カムフォロワ２８ｂと、３群枠２３を係止するための係止爪２８ｃとが設けられている。
【００４４】
上記３群枠２３は、２群枠２２により直進方向に摺動自在に支持される部材であって、固着支持されるガイド軸２４，２５と、可動フォロワの係止爪２８ｃとの被係止部２３ｂが設けられ、開口部に３群レンズ４３が保持されている。
【００４５】
フォーカシング枠２９は、２群レンズ４２を保持し、上記２群枠２２に進退可能に支持され、図示しないフォーカシング駆動系によって進退駆動される（図５，６参照）。
【００４６】
以上のような部材からなるレンズ群枠部５０Ｃにおいては、２群枠２２には、被写体側外周の突起２２ｂを１群枠の直進溝２１ｂに摺動自在に嵌入させて１群枠２１が装着される。また、軸孔２２ｄ，切り欠き２２ｅに３群枠のガイド軸２４，２５を摺動自在に嵌入させて３群枠２３が装着される。なお、ガイド軸２４には圧縮バネ２６が挿入されており、常時、３群枠２３は、フィルム面方向への付勢力を受けている。
【００４７】
さらに、２群枠２２には、そのガイド軸２７に軸孔２８ａを摺動自在に嵌入させて可動フォロワ２８が装着される。上記３群枠２３がカメラ本体５１の当接力を受けない状態では、可動フォロワ２８の係止爪２８ｃが３群枠２３の被係止部２３ｂに係合することによって３群枠２３の位置決めがなされる。
【００４８】
上述のレンズ群枠部５０Ｃは、前述したレンズ群駆動系５０Ｂのカム枠Ｍ１１およびカム枠Ｆ１２に直進進退可能状態で組み込まれる。また、直進ガイドされるキーリング１３の直進キー１３ｆが２群枠２２の直進ガイド孔２２ｃに摺動自在に嵌入しているので、２群枠２２と共に、１，３群枠２１，２３および可動フォロワ２８も直進進退可能に支持される。
【００４９】
そして、１群枠のカムフォロワ３１は、カム枠Ｆの１群カム溝１２ｂに嵌入し、２群枠のカムフォロワ３２および３３は、カム枠Ｍの２群カム溝１１ｇとカム枠Ｆの２群カム溝１２ｃにそれぞれ嵌入する。さらに、可動フォロワのカムフォロワ２８ｂは、カム枠Ｆの３群カム溝１２ｄに嵌入する。
【００５０】
したがって、カム枠Ｍ１１に対する各枠部材等の進退位置としては、２群枠２２は、カム枠Ｍ１１の２群カム溝１１ｇで位置決めされ、カム枠Ｆ１２は、２群枠２２とカム枠Ｆ１２の２群カム溝１２ｃによって位置決めされる。さらに、可動フォロワ２８がカム枠Ｆの３群カム溝１２ｄによって位置決めされ、３群枠２３は、上記可動フォロワ２８の係止部２８ｃを介して位置決めされる。
【００５１】
次に、以上のように構成されたレンズ鏡筒５０の沈胴，繰り出し動作について説明する。
レンズ鏡筒５０が沈胴状態にあるときは、図５に示すように回転枠２等すべての部材は、固定枠１内部に沈胴した状態に保持されている。このとき、３群枠２３と可動フレア絞り１５は、カメラ本体５１のアパーチャ５１ａ近傍に設けられた突起５１ｂで押圧され、収納位置にある。なお、この状態では可動フレア絞り１５の先端凸部１５ｃは、図７に示すようにカム枠Ｍ１１の外周面１１ａ上を摺接しており、前方に移動している。
【００５２】
レンズ鏡筒５０を沈胴状態から撮影準備状態に駆動するには、ヘリコイドリング駆動ギヤ７をＢ1 方向に回転させ、ヘリコイドリング４をＣ1 方向に回動させる。その回動により回転枠２と移動枠５が直進溝１ｂにガイドされながら一体的にＤ1 方向に移動し、沈胴位置から撮影準備位置まで繰り出される（図６上半部分参照）。この状態では、移動枠５は、直進溝１ｄ，１ｂに係合した状態のままであるが、回転枠２は、その突起２ｃが直進溝１ｂから解放され、駆動リング３の凹部３ｃに係合し、駆動リング３によって回動可能な状態となる。
【００５３】
上記撮影準備状態からさらにズーム駆動系によって駆動リング３をＥ0 方向に僅かな角度だけ回動させると、レンズ鏡筒５０は図６の上半部分に示すワイド状態となる。
【００５４】
また、沈胴状態から撮影準備状態およびワイド状態への駆動過程で１群枠２１，２群枠２２は、回転枠２，移動枠５と共に繰り出される。３群枠２３は、圧縮バネ２６の付勢力でカム枠Ｍ１１および２群枠２２から相対的に後方へ離間し、可動フォロワ２８の係止爪２８ｃが３群枠２３の被係止部２３ｂと係合する位置であるワイド対応位置に相対的に後退する。
【００５５】
また、上記駆動過程で可動フレア絞り１５は、カム枠Ｍ１１に対して後退する３群枠２３に押圧され、同様に相対的に後退する。そのとき、腕部１５ｂの先端凸部１５ｃは、図３に示すカム枠Ｍ１１の端部外周面１１ａ′上に到達し、さらに、カム枠Ｍ１１が僅かワイド位置までＥ0 方向に回動すると、連続傾斜面１１ｄを摺動降下して段差周面１１ｃ上に達する。この状態での可動フレア絞り１５は、カム枠Ｍ１１に対して所定の相対位置にあり、正常なフレア絞りとして機能する。
【００５６】
レンズ鏡筒５０のワイド状態からテレ状態への駆動は、駆動リング３をＥ0 方向に回動駆動し、回転枠２を同方向に回動させることによって行われる（図６の下半部参照）。すなわち、回転枠２のＥ0 方向への回動に伴って、カム枠Ｍ１１が回動し、移動枠５のカム溝５ｈに沿って繰り出される。また、カム枠Ｆ１２も直進溝１１ｆによりカム枠Ｍ１１と共に回動し、その繰り出し位置は、カム溝１２ｃの嵌入する２群枠２２のカムフォロワ３３を介して位置決めされる。
【００５７】
そして、２群枠２２は、キーリング１３により直進ガイドされた状態でカムフォロワ３２が嵌入するカム枠Ｍ１１の２群カム溝１１ｇによりテレ対応位置に繰り出される。また、１群枠２１は、カムフォロワ３１が嵌入するカム枠Ｆ１２の１群カム溝１２ｂにより同様にテレ対応位置に繰り出される。さらに、３群枠２３は、可動フォロワ２８がカム枠Ｆ１２の３群カム溝１２ｄにより位置決めされ、その可動フォロワ２８の係止爪２８ｂにより同様にテレ対応位置に位置決めされる。
【００５８】
また、ワイド状態からテレ状態をカム枠Ｍ１１が回動，進退駆動する間、可動フレア絞り１５は、キーリング１３の溝１３ｅによって回動することなく保持され、その先端凸部１５ｃが段差側面１１ｂとキーリング１３の溝１３ｅの側面とで挟まれた状態で段差周面１１ｃ上を摺接する。したがって、可動フレア絞り１５は、カム枠Ｍ１１に対して所定の離間位置に確実に保持され、正常なフレア絞りとして機能する。
【００５９】
次に、レンズ鏡筒５０をワイド状態から撮影準備状態さらに沈胴状態に駆動する場合は、駆動リング３を、一旦、Ｅ1 方向に回動させて撮影準備状態とする。その状態で１群枠２１，２群枠２２は、移動枠５内に繰り込まれている。３群枠２３は、カム枠Ｍ１１に対して相対的にまだ後退した位置にある（図６の上半部分参照）。また、可動フレア絞り１５の腕部の先端凸部１５ｃは、カム枠Ｍ１１がＥ1 方向に回動するので、段差周面１１ｃ上から連続傾斜面１１ｄを摺動して端部外周面１１ａ′上に位置する（図３参照）。
【００６０】
その後、ヘリコイドリング駆動ギヤ７をＢ0 方向に回転駆動して、ヘリコイドリング４をＣ0 方向に回動させると、移動枠５と共に回転枠２がＤ0 方向に後退し、回転枠２の突起２ｃの駆動リング３に対する係合が解放される。さらに、ヘリコイドリング４の回転を続行すると、回転枠２が移動枠５とともにＤ0 方向に移動し、固定枠１内に収納される沈胴位置まで繰り込まれる（図５参照）。
【００６１】
上記の沈胴動作で３群枠２３と可動フレア絞り１５は、カメラ本体５１の突起５１ｂに押圧されて圧縮バネ２６の付勢力に抗して相対的に前進する。そして、３群枠２３は、２群枠２２の内部に収納される（図５参照）。一方、可動フレア絞り１５もカム枠Ｍ１１に対して相対的に光軸方向に前進し、腕部の先端凸部１５ｃがカム枠Ｍ１１の端部外周面１１ａ′から外周面１１ａ上を前方に摺動し、収納状態となる（図５参照）。
【００６２】
以上、説明した上記レンズ鏡筒５０に組み込まれる絞り装置によれば、カム枠Ｍ１１に対する可動フレア絞り１５の光軸方向相対位置がズーム動作中は変化することなく、常時、良好なフレア絞り状態を得ることができる。また、沈胴状態でも上記可動フレア絞り１５は、確実にカム枠Ｍ１１内に収納され、占有スペ−スも少なくなり、レンズ鏡筒の小型化にも効果がある。
【００６３】
【発明の効果】
上述のように本発明の請求項１に記載の絞り装置によると、絞り部材とそれを支持する枠部材との相対距離を精度よく保つことができ、しかも、占有スペ−スを大きくすることなく、組み込まれるレンズ鏡筒の大型化を防止することも実現できる。
【図面の簡単な説明】
【図１】本発明の一実施の形態である絞り装置が組み込まれたレンズ鏡筒を構成する沈胴駆動系の分解斜視図。
【図２】上記一実施の形態である絞り装置が組み込まれたレンズ鏡筒を構成するレンズ群駆動系およびレンズ群枠部の分解斜視図。
【図３】図１，２のレンズ鏡筒の可動フレア絞り装着部周りの斜視図。
【図４】図１，２のレンズ鏡筒の２，３群枠等の分解斜視図。
【図５】図１，２のレンズ鏡筒の縦断面図であり、沈胴状態を示す。
【図６】図１，２のレンズ鏡筒の縦断面図であり、上半部が撮影準備状態およびワイド状態を、下半部がテレ状態を示す。
【図７】図１，２のレンズ鏡筒の可動フレア絞り装着部周りの縦断面図。
【図８】従来のレンズ鏡筒に組み込まれたフレア絞り装置周りの縦断面図であって、図８（Ａ）が沈胴状態、図８（Ｂ）がワイド状態、図８（Ｃ）がテレ状態を示す。
【符号の説明】
１１    ……カム枠Ｍ（枠部材）
１１ａ  ……外周面（第２の摺動面）
１１ａ′……端部外周面（第２の摺動面）
１１ｂ  ……段差側面（段差面）
１１ｄ  ……連続傾斜面（傾斜面）
１１ｃ  ……段差周面（第１の摺動面）
１５    ……可動フレア絞り（絞り部材）
１５ｂ  ……腕部（絞り部材の腕部）
１５ｃ  ……先端凸部（絞り部材の腕部の端部）
５０    ……レンズ鏡筒
Ｏ    ……光軸
【図１】
0004144943.tif 000002
【図２】
0004144943.tif 000003
【図３】
0004144943.tif 000004
【図４】
0004144943.tif 000005
【図５】
0004144943.tif 000006
【図６】
0004144943.tif 000007
【図７】
0004144943.tif 000008
【図８】
0004144943.tif 000009